(57)【要約】      （修正有）【課題】電解水がボウル部の縁部の上面や洗面カウンタに付着することを抑えるとともに、歯ブラシにおける細菌の繁殖を抑制することができる洗面化粧台を提供する。【解決手段】ボウル部１１１を有する洗面台１１０と、ボウル部に水を吐出する吐水部を有する水栓装置１２０と、水を電気分解することにより除菌作用を有する電解水を生成する電解水生成部と、電解水を霧状に吐出する電解水吐水部を有する電解水吐出装置１３０と、電解水吐水部から吐出されている最中の電解水のうちで電解水吐水部よりも下方の所定範囲に存在する電解水に光を照射する照射部と、を備える。【選択図】図５
2017127389.tif 000002
【特許請求の範囲】
【請求項１】
ボウル部を有する洗面台と、
前記ボウル部に水を吐出する吐水部を有する水栓装置と、
前記水を電気分解することにより除菌作用を有する電解水を生成する電解水生成部と、
前記電解水を霧状に吐出する電解水吐水部を有する電解水吐出装置と、
前記電解水吐水部から吐出されている最中の前記電解水のうちで前記電解水吐水部よりも下方の所定範囲に存在する前記電解水に光を照射する照射部と、
を備えたことを特徴とする洗面化粧台。
【請求項２】
前記所定範囲は、前記ボウル部の縁部よりも下方の範囲を含むことを特徴とする請求項１記載の洗面化粧台。
【請求項３】
前記照射部は、前記電解水吐水部から吐出されている最中の前記電解水に対して斜め上方かつ横から前記光を照射することを特徴とする請求項１記載の洗面化粧台。
【請求項４】
前記照射部は、前記電解水吐出装置と一体的に設けられ、前記電解水吐水部から離れた位置に設けられたことを特徴とする請求項３記載の洗面化粧台。
【発明の詳細な説明】
【技術分野】
【０００１】
本発明の態様は、一般的に、洗面化粧台に関する。
【背景技術】
【０００２】
一般的に、排水口が設けられたボウル部を有する洗面台と、ボウル部に水を吐出する吐水部を有する水栓装置と、を備えた洗面化粧台が知られている。また、除菌作用を有する機能水を生成する電解水生成手段と、電解水生成手段により生成された機能水を水周り設備に散布する電解水散布手段と、を備えた水周り設備洗浄装置が知られている（特許文献１）。特許文献１に記載された電解水生成手段は、塩化物イオン含有水（例えば水道水）を電気分解して遊離塩素含有水（電解水）を生成する。特許文献１に記載された水周り設備洗浄装置によれば、電解水を対象物へ吐出することにより、対象物における菌の繁殖を抑えることができる。
【０００３】
また、例えば使用者の口内に入れる歯ブラシに電解水を吐出し、歯ブラシの衛生性を担保する検討が行われている。歯ブラシの先端、根元および内部を除菌するためには、一定量の電解水が必要である。しかし、多量の電解水を生成するためには、大型あるいは多量の電極を必要とし、多量の水道水に電圧を印加する必要がある。そのため、比較的短い時間に多量の電解水を生成することは困難である。
【０００４】
本発明者の得た知見によれば、少量の電解水によって歯ブラシの先端、根元および内部を除菌するためには、電解水を霧状に吐出し、吐出される電解水の流速を高め、比較的長い時間にわたって電解水を吐出することが効果的である。
【０００５】
しかし、霧状に電解水を吐出すると、使用者が電解水を視認しづらくなり、吐出された電解水に歯ブラシを当てにくくなるという問題がある。使用者は、電解水を視認しづらいと、吐出された電解水に歯ブラシを確実に当てるために、電解水を吐出する吐出部の近傍の位置に歯ブラシを持っていく傾向がある。このとき、電解水の吐出部がボウル部の縁部よりも上方に設けられている場合には、歯ブラシにおいて跳ね返った電解水が飛び散り、ボウル部の縁部の上面や洗面カウンタに付着する。ボウル部の縁部の上面や洗面カウンタに付着した電解水が乾燥すると、水垢がボウル部の縁部の上面や洗面カウンタに発生することがある。
【先行技術文献】
【特許文献】
【０００６】
【特許文献１】特開平１０−２８７２１号公報
【発明の概要】
【発明が解決しようとする課題】
【０００７】
本発明は、かかる課題の認識に基づいてなされたものであり、電解水がボウル部の縁部の上面や洗面カウンタに付着することを抑えるとともに、歯ブラシにおける細菌の繁殖を抑制することができる洗面化粧台を提供することを目的とする。
【課題を解決するための手段】
【０００８】
第１の発明は、ボウル部を有する洗面台と、前記ボウル部に水を吐出する吐水部を有する水栓装置と、前記水を電気分解することにより除菌作用を有する電解水を生成する電解水生成部と、前記電解水を霧状に吐出する電解水吐水部を有する電解水吐出装置と、前記電解水吐水部から吐出されている最中の前記電解水のうちで前記電解水吐水部よりも下方の所定範囲に存在する前記電解水に光を照射する照射部と、を備えたことを特徴とする洗面化粧台である。
【０００９】
この洗面化粧台によれば、照射部が電解水吐水部から吐出されている最中の電解水のうちで電解水吐水部よりも下方の所定範囲に存在する電解水に光を照射するため、光が照射された所定範囲に歯ブラシを誘導することができる。照射部から照射された光により、歯ブラシによる電解水の跳ね返りが発生しても、跳ね返った電解水がボウル部の縁部の上面や洗面カウンタに付着しにくい位置に歯ブラシを誘導することができる。これにより、電解水が歯ブラシにおいて跳ね返り、飛び散ることで、ボウル部の縁部の上面や洗面カウンタに付着することを抑えることができる。また、使用者は、電解水吐水部から吐出された電解水に歯ブラシをしっかりと当てることができるため、歯ブラシにおける細菌の繁殖を抑制することができる。
【００１０】
第２の発明は、第１の発明において、前記所定範囲は、前記ボウル部の縁部よりも下方の範囲を含むことを特徴とする洗面化粧台である。
【００１１】
この洗面化粧台によれば、照射部は、ボウル部の縁部よりも下方の範囲を含む所定範囲に光を照射する。そのため、照射部から照射された光によって、歯ブラシによる電解水の跳ね返りが発生しても、跳ね返った電解水がボウル部の縁部の上面や洗面カウンタに付着しにくいボウル部の縁部よりも下方の位置に歯ブラシを確実に誘導することができる。これにより、電解水が歯ブラシにおいて跳ね返り、飛び散ることで、ボウル部の縁部の上面や洗面カウンタに付着することを抑えることができる。
【００１２】
第３の発明は、第１の発明において、前記照射部は、前記電解水吐水部から吐出されている最中の前記電解水に対して斜め上方かつ横から前記光を照射することを特徴とする洗面化粧台である。
【００１３】
電解水に対して後方から光を照射したり、下方から光を照射すると、照射された光が使用者の眼に直接的に入ってしまう可能性があり、使い心地が悪いものとなってしまう。これに対して、この洗面化粧台によれば、照射部が電解水吐水部から吐出されている最中の電解水に対して斜め上方かつ横から光を照射するため、照射部から照射された光が使用者の眼に直接的に入ることを抑えることができる。また、照射部は、電解水に対して真横から光を照射する場合と比較すると、広い範囲を照らすことができる。そのため、電解水吐水部から吐出されている最中の電解水の視認性を向上させることができる。
【００１４】
第４の発明は、第３の発明において、前記照射部は、前記電解水吐出装置と一体的に設けられ、前記電解水吐水部から離れた位置に設けられたことを特徴とする洗面化粧台である。
【００１５】
この洗面化粧台によれば、照射部が電解水吐出装置と一体的に設けられているため、電解水吐出装置以外に照射部を有する装置を別途設ける必要がない。そのため、洗面化粧台の全体をコンパクト化することができ、洗面化粧台の施工性を向上させることができる。
【００１６】
また、その際、照射部が電解水吐水部の位置と同じ位置に設けられている場合には、照射部から照射された光は、電解水吐水部から吐出した直後の電解水に遮られる。電解水吐水部から吐出した直後の霧状の電解水の密度は、電解水の吐出部から離れた位置における霧状の電解水の密度よりも高い。そのため、照射部から照射された光は、電解水吐水部から吐出した直後の電解水に遮られると、電解水吐水部よりも下方の所定範囲に存在する電解水に光を照射しにくい。
【００１７】
これに対して、第４の発明に係る洗面化粧台によれば、照射部が電解水吐水部から離れた位置に設けられているため、照射部は、電解水吐水部よりも下方の所定範囲に存在する電解水に光を照射しやすく、より下方へ歯ブラシを誘導しやすい。
【発明の効果】
【００１８】
本発明の態様によれば、電解水がボウル部の縁部の上面や洗面カウンタに付着することを抑えるとともに、歯ブラシにおける細菌の繁殖を抑制することができる洗面化粧台が提供される。
【図面の簡単な説明】
【００１９】
【図１】本発明の実施の形態にかかる洗面化粧台を表す模式的斜視図である。
【図２】本実施形態にかかる洗面化粧台の要部構成を表すブロック図である。
【図３】本実施形態の電解水吐出装置の具体例を例示する模式的斜視図である。
【図４】本実施形態の電解水生成部の具体例を表す模式的断面図である。
【図５】本実施形態のボウル部の近傍を表す模式的斜視図である。
【図６】電解水が歯ブラシに当たっている状態を表す模式的斜視図である。
【図７】本実施形態のボウル部を上から眺めた模式的平面図である。
【図８】図７に表した切断面Ｃ８−Ｃ８における模式的断面図である。
【図９】図７に表した切断面Ｃ９−Ｃ９における模式的断面図である。
【図１０】照射部の設置形態の変形例を表す模式的斜視図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式的斜視図である。  
図２は、本実施形態にかかる洗面化粧台の要部構成を表すブロック図である。  
図３は、本実施形態の電解水吐出装置の具体例を例示する模式的斜視図である。  
図４は、本実施形態の電解水生成部の具体例を表す模式的断面図である。
【００２１】
本実施形態にかかる洗面化粧台１００は、洗面台１１０と、水栓装置１２０と、電解水吐出装置（機能水吐出装置）１３０と、電解水生成部（機能水生成部）１５０と、照射部１３３と、を備える。図１に表したように、洗面台１１０は、例えばキャビネット１９２の上に設けられている。洗面台１１０の上には、化粧鏡１９１が設けられていてもよい。なお、洗面台１１０の周囲に配置される部材は、キャビネット１９２および化粧鏡１９１だけには限定されない。
【００２２】
なお、本願明細書において、「上」、「下」、「右」および「左」という記載は、洗面化粧台１００の前で洗面化粧台１００を見た人を基準とした上、下、右および左をそれぞれいう。また、本願明細書においては、洗面化粧台１００から、洗面化粧台１００の前に居る人へ向かう方向を「前」方向とし、その逆方向を「後」方向とする。
【００２３】
洗面台１１０は、ボウル部１１１を有する。
【００２４】
図２に表したように、水栓装置１２０は、吐水部１２１を有する。吐水部１２１は、ボウル部１１１に水１６７を吐出する。水１６７は、通常水（例えば、水道水）である。具体的に説明すると、水栓装置１２０は、分岐金具１４２および開閉弁１４４を介して給水源１４５に接続されている。分岐金具１４２は、例えばボウル部１１１の下に設けられている。水道水１６７は、水栓装置１２０の操作部である操作レバー１２２への手動操作により開閉弁１４４が開状態となった際に、開閉弁１４４を通って吐水部１２１からボウル部１１１に吐出される。なお、本実施形態において、操作レバー１２２および開閉弁１４４は、互いに一体に設けられている。
【００２５】
電解水吐出装置１３０は、操作部１３１を有する。例えば使用者が操作部１３１を操作すると、電解水吐出装置１３０は、除菌作用を有する電解水（機能水）１６１を霧状に吐出する。霧状の機能水１６１の粒子径は、分布をもっており、サブミクロンオーダーのものから、２０００マイクロメートル（μｍ）を越えるものまで存在する。霧状の機能水１６１の平均粒子径は、例えば約２００μｍ以上１５００μｍ以下程度である。図２に表したように、電解水吐出装置１３０は、分岐金具１４２および電磁弁１４３を介して給水源１４５に接続されている。電磁弁１４３は、例えばボウル部１１１の下に設けられている。
【００２６】
電解水生成部１５０は、電磁弁１４３と電解水吐出装置１３０との間に設けられ、除菌作用を有する電解水１６１を生成する。例えば、図４に表したように、電解水生成部１５０は、陽極１５１と、陰極１５２と、を内部に有し、制御部１４１から出力された通電の制御信号により、陽極１５１と、陰極１５２と、の間の空間（流路）を流れる水道水を電気分解することができる。水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。
【００２７】
そこで、電圧が陽極１５１と陰極１５２との間に供給されると、式（１）に表した反応が陰極１５２において生ずる。
Ｈ＋＋ｅ−  →  １／２Ｈ２↑                 ・・・（１）
【００２８】
一方で、電圧が陽極１５１と陰極１５２との間に供給されると、式（２）および式（３）に表した反応が陽極１５１において生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００２９】
式（３）において発生した塩素は気泡としては存在しにくく、ほとんどの塩素は水に溶解する。そのため、式（３）において発生した塩素については、式（４）に表した反応が生ずる。このようにして、塩化物イオンを電気分解することにより次亜塩素酸（ＨＣｌＯ）が生成される。その結果、電解水生成部１５０において電気分解された水は、次亜塩素酸を含む液に変化する。
Ｃｌ２＋Ｈ２Ｏ  →  ＨＣｌＯ＋Ｈ＋＋Ｃｌ−    ・・・（４）
【００３０】
次亜塩素酸は、除菌成分として機能する。次亜塩素酸を含む液は、例えばボウル部１１１や排水口１１３、排水口１１３の内部１１６、ヘアキャッチャーなどに付着している細菌を除菌することができる。
【００３１】
電解水が細菌と反応すると、式（５）に表した反応が生ずる。
Ｒ−Ｈ＋ＨＣｌＯ  →  Ｒ−ＯＨ＋Ｈ＋＋Ｃｌ−    ・・・（５）
式（５）の中に表した「Ｒ−Ｈ」は、有機物であり、例えば細菌の細胞である。式（５）の中に表した「Ｒ−ＯＨ」は、分解された有機物である。これにより、細菌の細胞が変性され、除菌（殺菌）が行われる。そして、電解水が細菌と反応すると、除菌成分（ＨＣｌＯ）が失われるため、結果として、電解水（除菌水）の濃度が下がる。
【００３２】
また、時間が経つと、式（６）に表した反応が生ずる。
２ＨＣｌＯ  →  ２Ｈ＋＋２Ｃｌ−＋Ｏ２    ・・・（６）
このように、時間が経つと、除菌成分（ＨＣｌＯ）が失われるため、結果として、電解水（除菌水）の濃度が下がる。
【００３３】
なお、本実施形態の電解水生成部１５０は、次亜塩素酸を含む液を生成することには限定されない。電解水生成部１５０は、水を電気分解することにより除菌作用を有する電解水を生成できればよい。
【００３４】
制御部１４１が電磁弁１４３に信号を送信し電磁弁１４３を開くと、給水源１４５から供給された水は、分岐金具１４２および電磁弁１４３を通って電解水生成部１５０に供給される。電解水生成部１５０に供給された水は、電解水生成部１５０において電解水１６１として生成され、電解水吐出装置１３０からボウル部１１１に吐出される。
【００３５】
例えば、図３に表したように、電解水吐出装置１３０は、操作部１３１と、電解水吐水部（機能水吐水部）１３２と、を有する。電解水吐出装置１３０は、例えば使用者が操作部１３１を操作すると、電解水生成部１５０により生成された電解水１６１を電解水吐水部１３２からボウル部１１１に向けて吐出する。
【００３６】
照射部１３３は、光を放出する。図３に表した例では、照射部１３３は、電解水吐出装置１３０と一体的に設けられ、電解水吐水部１３２から離れた位置に設けられている。なお、照射部１３３は、電解水吐出装置１３０と一体的に設けられていなくともよい。例えば、照射部１３３は、水栓装置１２０と一体的に設けられていてもよい。あるいは、照射部１３３は、電解水吐出装置１３０および水栓装置１２０とは別体として設けられていてもよい。
【００３７】
照射部１３３は、電解水吐水部１３２から吐出されている最中の電解水１６１のうちで電解水吐水部１３２よりも下方の所定範囲に存在する電解水１６１に光を照射する。これについて、図面を参照しつつさらに説明する。
【００３８】
図５は、本実施形態のボウル部の近傍を表す模式的斜視図である。  
図６は、電解水が歯ブラシに当たっている状態を表す模式的斜視図である。  
図７は、本実施形態のボウル部を上から眺めた模式的平面図である。  
図８は、図７に表した切断面Ｃ８−Ｃ８における模式的断面図である。  
図９は、図７に表した切断面Ｃ９−Ｃ９における模式的断面図である。
【００３９】
図５〜図９に表したように、ボウル部１１１は排水口１１３を有する。図８および図９に表したように、ボウル部１１１の表面１１５には、排水口１１３に向かって下方に傾斜した排水勾配が形成されている。排水口１１３の上には、排水栓１１２が設けられている。排水栓１１２は、排水口１１３の部分に常設され、上下方向に昇降することにより排水口１１３を開閉することができる。
【００４０】
例えば、電解水吐出装置１３０から霧状に吐出された電解水１６１は、排水栓１１２を含む領域に着水する。すなわち、例えば、電解水吐出装置１３０から霧状に吐出された電解水１６１のうちの少なくとも一部は、排水栓１１２に着水する。なお、電解水吐出装置１３０から吐出された電解水１６１が着水する領域は、これだけには限定されない。
【００４１】
図６に表したように、例えば使用者は、電解水吐出装置１３０から吐出された電解水１６１に歯ブラシ１７１を当てることにより、歯ブラシ１７１における細菌の繁殖を抑制することができる。
【００４２】
しかし、電解水吐出装置が霧状に電解水を吐出すると、使用者が電解水を視認しづらくなり、吐出された電解水に歯ブラシを当てにくくなるという問題がある。使用者は、電解水を視認しづらいと、吐出された電解水に歯ブラシを確実に当てるために、電解水吐水部の近傍の位置に歯ブラシを持っていく傾向がある。このとき、電解水吐水部がボウル部の縁部よりも上方に設けられている場合には、歯ブラシにおいて跳ね返った電解水が飛び散り、ボウル部の縁部の上面や洗面カウンタに付着する。ボウル部の縁部の上面や洗面カウンタに付着した電解水が乾燥すると、水垢がボウル部の縁部の上面や洗面カウンタに発生することがある。
【００４３】
これに対して、本実施形態にかかる洗面化粧台１００では、図５〜図９に表したように、照射部１３３は、電解水吐水部１３２から吐出されている最中の電解水１６１のうちで電解水吐水部１３２よりも下方の所定範囲Ａ１１に存在する電解水１６１に光１６８を照射する。
【００４４】
これによれば、照射部１３３は、光１６８が照射された所定範囲Ａ１１に歯ブラシ１７１を誘導することができる。照射部１３３から照射された光１６８により、歯ブラシ１７１による電解水１６１の跳ね返りが発生しても、跳ね返った電解水１６１がボウル部１１１の縁部１１９の上面や洗面カウンタ１７３に付着しにくい位置に歯ブラシ１７１を誘導することができる。これにより、電解水１６１が歯ブラシ１７１において跳ね返り、飛び散ることで、ボウル部１１１の縁部１１９の上面や洗面カウンタ１７３に付着することを抑えることができる。また、使用者は、電解水吐水部１３２から吐出された電解水１６１に歯ブラシ１７１をしっかりと当てることができるため、歯ブラシ１７１における細菌の繁殖を抑制することができる。
【００４５】
図８および図９に表したように、所定範囲Ａ１１は、ボウル部１１１の縁部１１９よりも下方の範囲を含む。これによれば、照射部１３３から照射された光１６８によって、歯ブラシ１７１による電解水１６１の跳ね返りが発生しても、跳ね返った電解水１６１がボウル部１１１の縁部１１９の上面や洗面カウンタ１７３に付着しにくいボウル部１１１の縁部１１９よりも下方の位置に歯ブラシ１７１を確実に誘導することができる。これにより、電解水１６１が歯ブラシ１７１において跳ね返り、飛び散ることで、ボウル部１１１の縁部１１９の上面や洗面カウンタ１７３に付着することを抑えることができる。
【００４６】
また、図５、図６および図８に表したように、照射部１３３は、電解水吐水部１３２から吐出されている最中の電解水１６１に対して斜め上方かつ横（右あるいは左）から光１６８を照射する。電解水に対して後方から光を照射したり、下方から光を照射すると、照射された光が使用者の眼に直接的に入ってしまう可能性があり、使い心地が悪いものとなってしまう。これに対して、本実施形態にかかる洗面化粧台１００によれば、照射部１３３が、電解水吐水部１３２から吐出されたている最中の電解水１６１に対して斜め上方かつ横（右あるいは左）から光１６８を照射するため、照射部１３３から照射された光１６８が使用者の眼に直接的に入ることを抑えることができる。また、照射部１３３は、電解水に対して真横から光を照射する場合と比較すると、広い範囲を照らすことができる。
【００４７】
すなわち、照射部１３３から照射された光１６８は、電解水１６１に対して斜め上方から照射されるため、電解水１６１の進行方向と略平行に進行する。そのため、電解水に対して真横から光を照射する場合と比較すると、照射部１３３は、電解水１６１の進行方向において長い範囲に光１６８を照射することができる。そのため、電解水吐水部１３２から吐出されている最中の電解水１６１の視認性を向上させることができる。
【００４８】
また、図３に表した電解水吐出装置１３０では、照射部１３３は、電解水吐出装置１３０と一体的に設けられている。これによれば、電解水吐出装置１３０以外に照射部を有する装置を別途設ける必要がない。そのため、洗面化粧台１００の全体をコンパクト化することができ、洗面化粧台１００の施工性を向上させることができる。
【００４９】
また、その際、照射部が電解水吐水部の位置と同じ位置に設けられている場合には、照射部から照射された光は、電解水吐水部から吐出した直後の電解水に遮られる。電解水吐水部から吐出した直後の霧状の電解水の密度は、電解水の吐出部から離れた位置における霧状の電解水の密度よりも高い。そのため、照射部から照射された光は、電解水吐水部から吐出した直後の電解水に遮られると、電解水吐水部よりも下方の所定範囲に存在する電解水に光を照射しにくい。
【００５０】
これに対して、図３に表した電解水吐出装置１３０では、照射部１３３は、電解水吐水部１３２から離れた位置に設けられている。これによれば、照射部１３３は、電解水吐水部１３２よりも下方の所定範囲Ａ１１に存在する電解水１６１に光１６８を照射しやすく、より下方へ歯ブラシ１７１を誘導しやすい。
【００５１】
図１０は、照射部の設置形態の変形例を表す模式的斜視図である。  
図１０に表した洗面化粧台１００Ａでは、照射部１３３は、水栓装置１２０Ａに設けられている。
【００５２】
水栓装置１２０Ａに設けられた照射部１３３は、電解水吐水部１３２から吐出されている最中の電解水１６１のうちで電解水吐水部１３２よりも下方の所定範囲Ａ１２に存在する電解水１６１に光１６８を照射する。本変形例のように、照射部１３３は、電解水吐出装置１３０と一体的に設けられていなくともよい。水栓装置１２０Ａに設けられた照射部１３３は、前述した所定範囲Ａ１２に存在する電解水１６１に光１６８を照射することにより、図５〜図９に関して前述した効果と同じ効果を得ることができる。
【００５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓装置１２０、電解水吐出装置１３０および電解水生成部１５０などが備える各要素の形状、寸法、材質、配置などや水栓装置１２０および電解水吐出装置１３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５４】
１００、１００Ａ 洗面化粧台、  １１０ 洗面台、  １１１ ボウル部、  １１２ 排水栓、  １１３ 排水口、  １１５ 表面、  １１９ 縁部、  １２０、１２０Ａ 水栓装置、  １２１ 吐水部、  １２２ 操作レバー、  １３０ 電解水吐出装置（機能水吐出装置）、  １３１ 操作部、  １３２ 電解水吐水部（機能水吐水部）、  １３３ 照射部、  １４１ 制御部、  １４２ 分岐金具、  １４３ 電磁弁、  １４４ 開閉弁、  １４５ 給水源、  １５０ 電解水生成部（機能水生成部）、  １５１ 陽極、  １５２ 陰極、  １６１ 電解水（機能水）、  １６７ 水、  １６８ 光、  １７１ 歯ブラシ、  １７３ 洗面カウンタ、  １９１ 化粧鏡、  １９２ キャビネット、  Ａ１１ 所定範囲、  Ａ１２ 所定範囲
【図１】
2017127389.tif 000003
【図２】
2017127389.tif 000004
【図３】
2017127389.tif 000005
【図４】
2017127389.tif 000006
【図５】
2017127389.tif 000007
【図６】
2017127389.tif 000008
【図７】
2017127389.tif 000009
【図８】
2017127389.tif 000010
【図９】
2017127389.tif 000011
【図１０】
2017127389.tif 000012